(57)【要約】【課題】本発明は、伝達しようとする情報と何らかの関連性があるインパクトのある外観を実現し、伝達対象情報を受取人に効果的に伝達することができる広告媒体の提供を目的とした。【解決手段】本発明の広告媒体１０は、情報伝達媒体５０と、外装ケース２０とを有し、情報伝達媒体５０を湾曲させ、あるいは屈曲させて、情報伝達媒体５０の少なくとも一部が外装ケース２０の内側面に沿うように配置された状態で情報伝達媒体５０が外装ケース２０に収容可能とされ、情報伝達媒体５０が外装ケース２０に収容されて所定の形状に保持された状態において、情報伝達媒体５０に付された情報及び前記所定の形状により、所定の意匠を構成するものであることを特徴とする。【選択図】図１
2018054955.tif 000002
【特許請求の範囲】
【請求項１】
所定の情報が付された情報伝達媒体と、
立体的な形状を形成し、前記情報伝達媒体を内容物として視認可能なように収容できる外装ケースとを有し、
前記情報伝達媒体を湾曲させ、あるいは屈曲させて、前記情報伝達媒体の少なくとも一部が前記外装ケースの内側面に沿うように配置された状態で前記情報伝達媒体が前記外装ケースに収容可能とされ、
前記情報伝達媒体が前記外装ケースに収容された状態において、前記情報伝達媒体に付された情報が前記外装ケースの外側から視認可能とされ、
前記情報伝達媒体が前記外装ケースに収容されて所定の形状に保持された状態において、前記情報伝達媒体及び前記所定の形状により、所定の意匠を構成するものであることを特徴とする広告媒体。
【請求項２】
前記外装ケースが、透光性のある素材により構成されるものであり、
前記情報伝達媒体が、紙素材により構成されるものであることを特徴とする請求項１に記載の広告媒体。
【請求項３】
前記外装ケースが、円形の断面形状を有する筒状の形状とされ、
前記情報伝達媒体を前記外装ケースの内周面に沿うように湾曲させて、前記情報伝達媒体が前記外装ケースに収容されたものであることを特徴とする請求項１又は２に記載の広告媒体。
【請求項４】
前記情報伝達媒体が、少なくとも受取人の宛名及び住所を含む宛名情報が記載されたものであり、
前記情報伝達媒体を前記外装ケースの内部に収容させた状態において、前記宛名情報が前記外装ケースの外側から視認可能であることを特徴とする請求項１〜３のいずれかに記載の広告媒体。
【請求項５】
前記外装ケースが、円形の断面形状を有する筒状の形状であり、ガス管の有する直径と略同じ直径の断面を有するものとされ、
前記情報伝達媒体が、黄色に着色された領域を備え、
前記情報伝達媒体の前記黄色に着色された領域が外側となるように、前記情報伝達媒体を湾曲させて前記外装ケースの内部に収容可能であり、
前記情報伝達媒体が前記外装ケースに収容された状態において、前記情報伝達媒体が黄色の円柱状の形状をなしてガス管をイメージさせる外観を構成することを特徴とする請求項１〜４のいずれかに記載の広告媒体。
【請求項６】
前記外装ケースが、郵便物として受け付け可能とされた大きさとされたものであることを特徴とする請求項１〜５のいずれかに記載の広告媒体。
【請求項７】
前記情報伝達媒体が、前記外装ケースに収容された状態において視認することができる第一視認部と、前記外装ケースから取り出された状態において視認することができる第二視認部とを備え、
前記第一視認部には、前記所定の意匠を構成する色彩あるいは模様を含む情報が付されたものであり、
前記第二視認部には、広告主体が伝達しようとする情報の一部又は全部が記載されたものであることを特徴とする請求項１〜６のいずれかに記載の広告媒体。
【発明の詳細な説明】
【技術分野】
【０００１】
本発明は、個人あるいは企業等に対する広告や販促を目的として配布される広告媒体に関する。
【背景技術】
【０００２】
近年、商品又はサービス等の広告や販促を目的として、事業者等の広告主体が個人あるいは企業に対して直接印刷物等を配布するいわゆるＤＭ（ダイレクトメール）による広告が増加している。このようなＤＭには、直接郵便受けに投函するものや、郵送によるもの等、様々ではあるが、これらの多くは受取人の郵便受け等に投函される。
【０００３】
このようなＤＭによるダイレクトマーケティングは、広告主体が消費者へと直接商品やサービスを告知する有効な販促手法として定着し、増加しつつある。そのため、受取人側の郵便受けに投函されたＤＭは増加し、ＤＭのうちの多数は開封すらされることなく、広告内容が伝達対象者に到達しないといった課題がある。また、ＤＭの中には広告主体が提供しようとする情報を詰め込んだに過ぎず、受取人の興味を高めることができないものも多数存在する。
【０００４】
このような状況に鑑み、近年は郵便受けに投函することができるサイズ等を満足しつつ、受取人の目を引くようなＤＭが提案されている。例えば、下記特許文献１の折り畳み葉書は、特徴的なフック状の形態をなしたものとされ、ドアノブなどに引っ掛けたり、吊り下げて使用するメッセージカードとして、二次利用可能とされたものが提案されている。
【先行技術文献】
【特許文献】
【０００５】
【特許文献１】特開２０１３−１０３４９１号公報
【発明の概要】
【発明が解決しようとする課題】
【０００６】
しかしながら、特許文献１の折り畳み葉書は、単にＤＭをメッセージカード等として二次利用可能としたにすぎず、広告対象とされた企業イメージや商品イメージと何ら関連付けられたものではない。そのため、特許文献１の折り畳み葉書は、記載された情報を受取人に効果的に伝達することができない。
【０００７】
そこで、本発明は、伝達しようとする情報と何らかの関連性があるインパクトのある外観を実現し、伝達対象情報を受取人に効果的に伝達することができる広告媒体の提供を目的とした。
【課題を解決するための手段】
【０００８】
かかる課題を解決すべく提供される本発明の広告媒体は、所定の情報が付された情報伝達媒体と、立体的な形状を形成し、前記情報伝達媒体を収容可能としつつ、内容物を視認可能とされた外装ケースとを有し、前記情報伝達媒体を湾曲させ、あるいは屈曲させて、前記情報伝達媒体の少なくとも一部が前記外装ケースの内側面に沿うように配置された状態で前記情報伝達媒体が前記外装ケースに収容可能とされ、前記情報伝達媒体が前記外装ケースに収容された状態において、前記情報伝達媒体に付された情報が前記外装ケースの外側から視認可能とされ、前記情報伝達媒体が前記外装ケースに収容されて所定の形状に保持された状態において、前記情報伝達媒体に付された情報及び前記所定の形状により、所定の意匠を構成するものであることを特徴とするものである。
【０００９】
本発明によれば、情報伝達媒体を所定の形状、特に立体的な形状と色彩や模様等とを有する意匠を構成する広告媒体とすることができる。これにより、広告媒体のインパクトを高めて受取人の興味を引き、広告媒体の開封率を高めることができる。その結果、広告主体の商品やサービス等の情報やイメージを、受取人に対して効果的に伝達することができる。
【００１０】
本発明の広告媒体は、前記外装ケースが、透光性のある素材により構成されるものであり、前記情報伝達媒体が、紙素材により構成されるものであることが望ましい。
【００１１】
上述の構成によれば、情報伝達媒体に付される情報を印刷により付すことができる。その結果、多様な色彩や文字等の情報を付すことができる。
【００１２】
本発明の広告媒体は、前記外装ケースが、円形の断面形状を有する筒状の形状とされ、前記情報伝達媒体を前記外装ケースの内周面に沿うように湾曲させて、前記情報伝達媒体が前記外装ケースに収容されたものとしてもよい。
【００１３】
上述の構成によれば、情報伝達媒体が外装ケースの内周面に沿うように収容される。そのため、外装ケースに情報伝達媒体が収容された状態において、広告媒体全体として円筒状のひとつの意匠を構成したような外観となる。これにより、広告媒体のインパクトを高めて受取人の興味を引き、広告媒体の開封率を高めることができる。その結果、広告主体の商品やサービス等の情報やイメージを、受取人に対して効果的に伝達することができる。
【００１４】
本発明の広告媒体は、前記情報伝達媒体が、少なくとも受取人の宛名及び住所を含む宛名情報が記載されたものであり、前記情報伝達媒体を前記外装ケースの内部に収容させた状態において、前記宛名情報が前記外装ケースの外側から視認可能とすることができる。
【００１５】
上述の構成によれば、広告媒体を受取人に対して郵送等により送付することができる。その結果、広告媒体をダイレクトメールとして好適に用いることができる。
【００１６】
本発明の広告媒体は、前記外装ケースが、円形の断面形状を有する筒状の形状であり、ガス管の有する直径と略同じ直径の断面を有するものとされ、前記情報伝達媒体が、黄色に着色された領域を備え、前記情報伝達媒体の前記黄色に着色された領域が外側となるように、前記情報伝達媒体を湾曲させて前記外装ケースの内部に収容可能であり、前記情報伝達媒体が前記外装ケースに収容された状態において、前記情報伝達媒体が黄色の円柱状の形状をなしてガス管をイメージさせる外観を構成するものとしてもよい。
【００１７】
上述の構成によれば、広告主体がガス関連事業者である場合に、当該広告主体の事業内容を想起させる広告媒体とすることができる。その結果、広告主体と関連付けられた広告媒体とすることができ、インパクトのある広告媒体として好適に用いることができる。
【００１８】
本発明の広告媒体は、前記外装ケースが、郵便物として受け付け可能とされた大きさとされたものであることが望ましい。
【００１９】
上述の構成によれば、広告媒体を郵便物として受取人に送付可能となる。その結果、コストを抑えて効率的に広告媒体を配布することができる。
【００２０】
本発明の広告媒体は、前記情報伝達媒体が、前記外装ケースに収容された状態において視認することができる第一視認部と、前記外装ケースから取り出された状態において視認することができる第二視認部とを備え、前記第一視認部には、前記所定の意匠を構成する色彩あるいは模様を含む情報が付されたものであり、前記第二視認部には、広告主体が伝達しようとする情報の一部又は全部が記載されたものであることが望ましい。
【００２１】
上述の構成によれば、第一視認部及び外装ケースにより構成される所定の意匠により、広告媒体の外観のインパクトを確保しつつ、かつ、第二視認部にはキャンペーンや商品、サービス等の伝達しようとする情報を記載することができる。その結果、受取人の興味を引きつつ広告媒体の開封率を高め、さらに伝達しようとする情報の詳細に至るまで伝達することができる。
【発明の効果】
【００２２】
本発明によれば、伝達しようとする情報と何らかの関連性があるインパクトのある外観を実現し、伝達対象情報を受取人に効果的に伝達することができる広告媒体を提供することができる。
【図面の簡単な説明】
【００２３】
【図１】本発明の一実施形態に係る広告媒体を示す斜視図である。
【図２】図１の広告媒体の外装ケースを示す断面図である。
【図３】図１の広告媒体の情報伝達媒体を示している。（ａ）は表面、（ｂ）は裏面、（ｃ）は二つ折りとされた状態を示している。
【図４】図１の広告媒体の長手方向断面図を示している。
【図５】図１の広告媒体について、視認可能とされる情報を順を追って示している。（ａ−１）は外装ケースに情報伝達媒体が収容された状態において視認可能となる情報、（ａ−２）は図５（ａ−１）の広告媒体を上方に１８０度回転させた状態において視認可能となる情報、（ｂ−１）は外装ケースから情報伝達媒体を取り出した状態における情報伝達媒体の状態、（ｂ−２）は図５（ｂ−１）に示す情報伝達媒体を裏返した状態、（ｃ）は二つ折りとされた情報伝達媒体を展開させた状態を示している。
【発明を実施するための形態】
【００２４】
以下、本発明の一実施形態に係る広告媒体１０について、図面を参照しつつ詳細に説明する。
【００２５】
図１は、広告媒体１０を示す斜視図である。広告媒体１０は、広告主体の商品やサービスを、個人又は企業等の受取人に対して直接情報を伝達するためのＤＭ（ダイレクトメール）として用いられるものである。本実施形態においては、広告媒体１０は、郵送等の送付方法により受取人に対して送付するＤＭとして用いられる。広告媒体１０は、広告媒体１０を配達する者が受取人に直接手渡しするものであってもよいし、あるいは郵便受けに投函され配達されるものであってもよい。本実施形態では、広告媒体１０は、郵便受けに投函できるサイズを越えたものであり、広告媒体１０を配達する者が受取人に直接手渡しするものとされている。このようにすることで、広告媒体１０を受取人に受け取ってもらえる可能性が高くなる。なお、広告媒体１０を郵便受けに投函することができる大きさとすれば、広告媒体１０をポスティングによるものとしたり、あるいは郵便受けに投函して配達したりすることが可能となる。その結果、広告媒体１０を配布する費用を抑制することができる。
【００２６】
なお、広告媒体１０は、郵便物又はメール便として郵送することができる大きさ及び重量とされることが望ましい。広告媒体１０を郵便物のうち定形外郵便物とする場合には、広告媒体１０は、長さ、幅及び高さの合算を９０ｃｍ以内とし、長手方向の最大長さを６０ｃｍ以内とすることが望ましい。また、広告媒体１０を円筒形の定形外郵便物とする場合には、広告媒体１０は、直径を３ｃｍ以上とし、長手方向の長さを１４ｃｍ以上とされることが望ましい。
【００２７】
また、同一の広告媒体１０を大量に郵便物として郵送する場合には、広告媒体１０に「料金後納」又は「料金別納」の表示をすることが望ましい。
【００２８】
本実施形態において、広告媒体１０は、架空のガス会社「ＡＢＣガス」のサービスやキャンペーンを告知するためのＤＭとされた例を示している。
【００２９】
広告媒体１０は、図１に示すとおり、外装ケース２０及び情報伝達媒体５０とを有している。
【００３０】
外装ケース２０は、情報伝達媒体５０を収容して、立体的な形状を保持するためのものである。外装ケース２０は、環状の断面形状を有するものとされている。より具体的には、外装ケース２０は、円形の断面形状を有する略円柱状の外観とされている。
【００３１】
外装ケース２０は、立体的な形状を保持可能とし、内容物の少なくとも一部を視認可能としている。本実施形態においては、外装ケース２０は透光性を有する透明素材を立体的に形成したものとされている。より具体的には、外装ケース２０は、透明の樹脂（本実施形態ではＰＥＴ樹脂）を略円柱状に成型されたものとされている。そのため、外装ケース２０は、情報伝達媒体５０を収容可能としつつ、収容された情報伝達媒体５０の少なくとも一部を外側から視認可能としている。
【００３２】
図２に示すとおり、外装ケース２０は、本体部３０及び蓋部４０を有している。本体部３０は、情報伝達媒体５０を収容するための収容本体として機能する。本体部３０は、内部が中空とされており、長手方向の一端側が底部３２により閉塞され、他端側に開口３４が形成されている。外装ケース２０は、開口３４を介して、情報伝達媒体５０を出し入れ可能とされている。また、本体部３０の長手方向において、開口３４の近傍には、開口３４の周方向全域に亘り、凸状とされた嵌込凸部３６が形成されている。
【００３３】
蓋部４０は、本体部３０の開口３４を閉塞するための蓋部材である。蓋部４０は、開口３４と略同等の直径を有している。蓋部４０には、嵌込凹部４２が形成されている。外装ケース２０は、蓋部４０の嵌込凹部４２に本体部３０の嵌込凸部３６を嵌め込むことにより、本体部３０の開口３４が閉塞されて、本体部３０と蓋部４０とが一体的で閉塞された円柱形状を形成する。
【００３４】
情報伝達媒体５０は、外装ケース２０に収容された状態において、外装ケース２０の形状に沿って形状が保持され、広告主体が受取人に何らかのイメージ等を想起させるためのものである。また、情報伝達媒体５０は、広告主体が受取人に対して商品、サービス等の情報を伝達するための媒体として機能する。
【００３５】
図１及び図３に示すとおり、情報伝達媒体５０は、長手方向の長さが本体部３０の長手方向の長さと概ね一致する大きさとされている。また、本実施形態において、情報伝達媒体５０は、矩形の紙片の両面に各種情報が印刷された印刷物とされている。情報伝達媒体５０の幅方向の略中央には、折り線５２が設けられている。
【００３６】
情報伝達媒体５０は、折り線５２に沿って折り畳んで屈曲させて二つ折り可能とされている。さらに二つ折りとされた情報伝達媒体５０は、幅方向に丸めて湾曲させ、筒状の形状とされて外装ケース２０の内部に収容される。
【００３７】
図３（ａ）、（ｂ）及び（ｃ）に示すとおり、情報伝達媒体５０は、展開された１枚の紙片の状態において、表面５０ａ及び裏面５０ｂとを有する。さらに、図３（ｃ）に示すとおり、情報伝達媒体５０は、折り線５２に沿って二つ折りとされた状態において、表面５０ａが外側の表裏を構成し、裏面５０ｂが内側の中面を構成する。
【００３８】
図３（ａ）に示すとおり、情報伝達媒体５０の表面５０ａは、折り線５２を境界として第一視認部５４及び第二視認部５６が設けられている。また、第一視認部５４及び第二視認部５６は、情報伝達媒体５０が折り線５２に沿って二つ折りとされた状態において、表側面及び裏側面として構成される。また、情報伝達媒体５０が二つ折りとされた状態において、情報伝達媒体５０の裏面５０ｂは、中面として第三視認部５８を構成する。
【００３９】
図３（ａ）に示すとおり、第一視認部５４には、第一情報表示領域６０ａ及び第二情報表示領域６０ｂが設けられている。また、第二視認部５６には、第三情報表示領域６０ｃが設けられている。後に詳述するように、第一視認部５４は、情報伝達媒体５０が外装ケース２０に収容された状態において、外装ケース２０の外側から視認可能とされた部分である。言いかえると、第一視認部５４は、形状を保持する外装ケース２０と共に色彩、模様、文字等により広告媒体１０の外観意匠を構成する部分である。
【００４０】
第一視認部５４の第一情報表示領域６０ａには、広告主体の名称である「ＡＢＣガス」の文字が印刷される。第二情報表示領域６０ｂには、受取人の宛名及び住所を含む宛名情報、及び「料金後納」の表示等の郵送に必要となる情報（郵送情報）が記載される。
【００４１】
なお、第一視認部５４は、略全域に亘り黄色の色彩が施されている（図３（ａ）のハッチング部分）。そのため、情報伝達媒体５０が外装ケース２０に収容された状態において、情報伝達媒体５０は黄色の筒状の形状をなす。これにより、広告媒体１０は、ガス管を想起させる意匠を構成可能とされている。また、第二情報表示領域６０ｂに宛名情報を記載することにより、広告媒体１０を郵送により送付することができる。
【００４２】
第二視認部５６には、上述のとおり第三情報表示領域６０ｃが設けられている。図３（ａ）に示すとおり、第三情報表示領域６０ｃには、広告主体が受取人に伝達しようとする情報の概要が記載される。本実施形態においては、広告主体がキャンペーンを実施中である旨及び当該キャンペーンの概要が記載される。
【００４３】
第三視認部５８には、第四情報表示領域６０ｄが設けられている。図３（ｂ）に示すとおり、第四情報表示領域６０ｄには、第三情報表示領域６０ｃに記載されたキャンペーンに関する詳細が記載される。
【００４４】
図１及び図４に示すとおり、情報伝達媒体５０は、幅方向の両端が近接するように二つ折りとされて、外装ケース２０の内部に収容される。より具体的には、図４に示すとおり、情報伝達媒体５０は、幅方向を二つ折りとされ、さらに湾曲した状態で外装ケース２０の内部に収容される。そのため、情報伝達媒体５０は、外装ケース２０に収容された状態において、第一視認部５４が外装ケース２０の内周面に沿って略密着して収容される。
【００４５】
次に、広告媒体１０に付された各種情報について、受取人への伝達プロセスについて説明する。図５は、受取人が広告媒体１０を受け取ってから、情報伝達媒体５０に付された情報を視認する内容について、順を追って示している。
【００４６】
図５（ａ−１）及び（ａ−２）は、郵便受けに投函される状態の広告媒体１０を示す側面図である。図５（ａ−１）及び（ａ−２）に示す状態においては、広告媒体１０全体として、外装ケース２０により略円柱形状に保持された状態の情報伝達媒体５０が外観を構成する。より具体的には、上述のとおり、情報伝達媒体５０の第一視認部５４には第一視認部５４略全域に亘って黄色の色彩が施されている。また、情報伝達媒体５０は第一視認部５４が外側となるように丸めて湾曲された状態で、外装ケース２０に収容される。すなわち、広告媒体１０は、第一視認部５４の色彩及び外装ケース２０により保持される情報伝達媒体５０の形状により、ガス管を模したような黄色のパイプ状の外観意匠を構成する。そのため、広告媒体１０は、他の一般的な葉書状のＤＭ等と比較して、受取人に対してインパクトのある印象を与え、興味を高めることができる。
【００４７】
図５（ａ−１）は、第一情報表示領域６０ａが正面を向くように配置された状態の広告媒体１０を示している。また、図５（ａ−２）は、図５（ａ−１）の状態から広告媒体１０を上方に約１８０度回転させ、第二情報表示領域６０ｂが正面を向くように配置された状態の広告媒体１０を示している。図５（ａ−１）及び（ａ−２）に示すとおり、外装ケース２０に情報伝達媒体５０が収容された状態において、広告媒体１０は、情報伝達媒体５０の第一視認部５４が視認可能とされている。また、広告媒体１０は、情報伝達媒体５０を外装ケース２０に収容させた状態において、第一視認部５４に設けられた第一情報表示領域６０ａ及び第二情報表示領域６０ｂを視認可能とされている。
【００４８】
第一情報表示領域６０ａには、上述のとおり、広告主体を表示する「ＡＢＣガス」の文字が付されている。そのため、受取人は、広告媒体１０の送付主を広告主体である「ＡＢＣガス」であることを認識することができる。なお、図５（ａ−２）に示すとおり、第一視認部５４の第二情報表示領域６０ｂには受取人の宛名、住所及び料金後納表示等の郵送情報が記載され、外装ケース２０の外側から視認可能とされている。そのため、広告媒体１０は、外装ケース１０に宛名シール等を貼付することを要さず、郵送することができる。
【００４９】
図５（ｂ−１）及び（ｂ−２）は、外装ケース２０から取り出された状態の情報伝達媒体５０を示している。上述のとおり、情報伝達媒体５０は、二つ折りとされて外装ケース２０に収容されている。そのため、外装ケース２０から取り出された状態の情報伝達媒体５０は、第一視認部５４に加え、第二視認部５６も視認可能となる。
【００５０】
図５（ｂ−２）に示すように、第二視認部５６には、第三情報表示領域６０ｃが設けられている。先述のとおり、第三情報表示領域６０ｃには、広告主体が受取人に対して、告知しようとする情報の概要が記載されている。より具体的には、第三情報表示領域６０ｃには、広告主体のキャンペーンを実施中であること、及びキャンペーンの概要に関する情報が記載されている。これにより、受取人は、広告媒体１０の告知しようとする情報に関する概要を確認することができる。
【００５１】
図５（ｃ）は、二つ折りとされた情報伝達媒体５０を展開した状態を示している。二つ折りとされた状態の情報伝達媒体５０を展開させると、中面に相当する第三視認部５８が視認可能となる。第三視認部５８には、上述のとおり第四情報表示領域６０ｄが設けられている。第四情報表示領域６０ｄには、第三情報表示領域６０ｃに記載されたキャンペーンの詳細が記載されている。第四情報表示領域６０ｄに記載された内容により、受取人は当該キャンペーンの詳細を確認することができる。
【００５２】
以上の説明から理解されるように、広告媒体１０は、受取人が広告媒体１０を受け取ってから情報伝達媒体５０を展開するに至るまで、経時的に各種の情報を視認可能とされている。より具体的には、広告媒体１０は、受取人が広告媒体１０を受け取ってから、先ず第一視認部５４に記載された情報を視認し、次いで第二視認部５６に記載された情報を視認し、最後に第三視認部５８に記載された情報を視認する。すなわち、広告媒体１０は、広告媒体１０の外観により最初に受取人の興味や注意を高めて広告媒体１０を開封させ、順次伝達しようとする情報の詳細へと誘導する。このように、広告媒体１０は、受取人の心理プロセスを利用し、効果的な情報伝達を実現可能としている。
【００５３】
以上、本発明の一実施形態に係る広告媒体１０について説明したが、本発明の広告媒体は、上述した実施形態に限定されない。
【００５４】
上述した広告媒体１０は、ガス管を想起させる意匠を構成する例を示したが、広告媒体１０はこれに限定されない。例えば、情報伝達媒体の第一視認部を水道管の色と類似する色彩を施したものとして、広告媒体を水道管を想起させるものとしてもよい。
【００５５】
上述した広告媒体１０においては、外装ケース２０を円柱状の形状とした例を示したが、外装ケースをその他の立体的な形状としてもよい。例えば、外装ケースを矩形の立体形状としてもよいし、半円状の断面形状を有するものであってもよい。
【００５６】
また、上述した広告媒体１０においては、情報伝達媒体５０を矩形の紙片とした例を示したが、情報伝達媒体をその他の素材や形状としてもよい。例えば、情報伝達媒体に切り込み等を設けてもよいし、所定の輪郭にくり抜かれたものであってもよい。
【００５７】
さらに、上述した広告媒体１０は、定形外郵送にて郵送可能とされた例を示したが、広告媒体をポスティングするためのものとしてもよい。例えば、情報伝達媒体に宛名、住所等の情報を設けないものとしてもよい。
【００５８】
さらに、上述した広告媒体１０は、外装ケース２０の内部に情報伝達媒体５０のみを収容した例を示したが、本発明の広告媒体はこれに限定されない。例えば、広告媒体は、外装ケースの内部に、情報伝達媒体とその他のものを同封したものであってもよい。
【産業上の利用可能性】
【００５９】
本発明の広告媒体は、個人あるいは企業等に対する広告を目的として配布される販促物として好適に用いることができる。
【符号の説明】
【００６０】
１０        広告媒体
２０        外装ケース
５０        情報伝達媒体
５４        第一視認部
５６        第二視認部
【図１】
2018054955.tif 000003
【図２】
2018054955.tif 000004
【図３】
2018054955.tif 000005
【図４】
2018054955.tif 000006
【図５】
2018054955.tif 000007